(57)【特許請求の範囲】
【請求項１】
中空構造を有するゴルフクラブヘッドにおいて、ネック部、フェース部、ソール部、クラウン部及びサイド部を構成する金属製の外殻部材と、ヘッド全体での質量比率が４％以上４８％以下となる繊維強化プラスチック製の外殻部材とを備え、前記金属製の外殻部材のクラウン部に前記繊維強化プラスチック製の外殻部材を積層したことを特徴とするゴルフクラブヘッド。
【請求項２】
前記金属として、２種以上の金属を互いに異なる部位に使用した請求項１に記載のゴルフクラブヘッド。
【請求項３】
前記繊維強化プラスチックとして、２種以上の繊維強化プラスチックを互いに異なる部位に使用した請求項１〜２のいずれかに記載のゴルフクラブヘッド。
【請求項４】
前記繊維強化プラスチックの繊維の弾性率が２７ton/mm2 未満である請求項１〜３のいずれかに記載のゴルフクラブヘッド。
【請求項５】
前記繊維強化プラスチックの繊維の弾性率が２７ton/mm2 以上である請求項１〜３のいずれかに記載のゴルフクラブヘッド。
【発明の詳細な説明】
【技術分野】
【０００１】
本発明は、中空構造を有するゴルフクラブヘッドに関し、更に詳しくは、異種素材を複合することで、振動減衰性と心地よい打音の両方を兼ね備えるようにしたゴルフクラブヘッドに関する。
【背景技術】
【０００２】
ゴルフクラブヘッドでは、飛距離や方向性等の性能や強度を改善することに加えて、打球時の振動を減衰し、更には打球時に心地よい打音を発することが要求される。これは、メンタルスポーツでもあるゴルフでは微妙な振動や打音が結果に大きな影響を及ぼすからである。
【０００３】
従来より、繊維強化プラスチック（ＦＲＰ）からなる中空構造のゴルフクラブヘッドが開示されている（例えば、特許文献１参照。）。このようなＦＲＰ製のゴルフクラブヘッドは、振動減衰性は良いものの、打球音と飛距離の面で不利である。また、異種素材を複合してなるゴルフクラブヘッドが開示されている（例えば、特許文献２及び特許文献３参照。）。しかしながら、これらゴルフクラブヘッドは振動減衰性と心地よい打音の両方を兼ね備えたものではなかった。
【特許文献１】特開平１１−４９１９号公報
【特許文献２】特開平５−１６８７３１号公報
【特許文献３】特開２０００−２２９１３５号公報
【発明の開示】
【発明が解決しようとする課題】
【０００４】
本発明の目的は、異種素材を複合することで、振動減衰性と心地よい打音の両方を兼ね備えることを可能にしたゴルフクラブヘッドを提供することにある。
【課題を解決するための手段】
【０００５】
上記目的を達成するための本発明のゴルフクラブヘッドは、中空構造を有するゴルフクラブヘッドにおいて、ネック部、フェース部、ソール部、クラウン部及びサイド部を構成する金属製の外殻部材と、ヘッド全体での質量比率が４％以上４８％以下となる繊維強化プラスチック製の外殻部材とを備え、前記金属製の外殻部材のクラウン部に前記繊維強化プラスチック製の外殻部材を積層したことを特徴とするものである。
【発明の効果】
【０００６】
このように中空構造を有するゴルフクラブヘッドにおいて、ネック部、フェース部、ソール部、クラウン部及びサイド部を構成する金属製の外殻部材と、上記質量比率となる繊維強化プラスチック製の外殻部材とを備え、金属製の外殻部材のクラウン部に繊維強化プラスチック製の外殻部材を積層することにより、振動減衰性と心地よい打音の両方を兼ね備えたゴルフクラブヘッドを構成することができる。
【０００７】
本発明において、金属としては、２種以上の金属を互いに異なる部位に使用しても良い。繊維強化プラスチックとしては、２種以上の繊維強化プラスチックを互いに異なる部位に使用しても良い。繊維強化プラスチックの繊維の弾性率が２７ton/mm2 未満である場合には、特に振動減衰性の改善効果が大きくなり、繊維強化プラスチックの繊維の弾性率が２７ton/mm2 以上である場合には、特に打音の改善効果が大きくなる。
【発明を実施するための最良の形態】
【０００８】
以下、本発明の構成について添付の図面を参照しながら詳細に説明する。
図１（ａ）〜（ｃ）は本発明の実施形態からなるゴルフクラブヘッドを示すものである。図１（ａ）〜（ｃ）に示すように、本実施形態のゴルフクラブヘッドは、ネック部１、フェース部２、ソール部３、クラウン部４及びサイド部５を構成する金属製の外殻部材Ｘからなる中空構造を有し、そのクラウン部４に繊維強化プラスチック（斜線部）製の外殻部材Ｙを積層したものである。
【０００９】
このようにネック部１、フェース部２、ソール部３、クラウン部４及びサイド部５を構成する金属製の外殻部材Ｘからなる中空構造においてクラウン部４に繊維強化プラスチック製の外殻部材Ｙを積層することにより、振動減衰性と心地よい打音の両方を兼ね備えたゴルフクラブヘッドを構成することができる。但し、上記繊維強化プラスチックの質量比率〔（ＦＲＰ質量／ヘッド全体の質量）×１００〕は４％以上とすることが必要である。この繊維強化プラスチックの質量比率が４％未満であると振動減衰性と打音の改善効果が十分に得られない。なお、繊維強化プラスチックの質量比率の上限は４８％にすることが好ましい。この範囲内にすることによって、ゴルフクラブヘッドの重心位置をより好適に保つことが可能になる。
【００１０】
金属としては、チタン、チタン合金、ステンレス鋼等を使用することができる。また、２種以上の金属を互いに異なる部位に使用するようにしても良い。
【００１１】
繊維強化プラスチックとしては、炭素繊維、ガラス繊維、アラミド繊維等の強化繊維に、エポキシ樹脂、不飽和ポリエステル樹脂、ビニルエステル樹脂等のマトリックス樹脂を含浸させてなる繊維強化プラスチックがあり、特に炭素繊維を強化繊維とするものが好ましい。また、２種以上の繊維強化プラスチックを互いに異なる部位に使用するようにしても良い。繊維強化プラスチックの繊維の弾性率が２７ton/mm2 未満である場合には、振動減衰性の改善効果が大きくなり、繊維強化プラスチックの繊維の弾性率が２７ton/mm2 以上である場合には、打音の改善効果が大きくなる。
【００１２】
クラウン部４を構成する繊維強化プラスチック製の外殻部材Ｙは、ネック部１、フェース部２、ソール部３及びサイド部５を構成する金属製の外殻部材Ｘに対して接着することができる。
【実施例】
【００１３】
中空構造を有するゴルフクラブヘッドにおいて、ネック部、フェース部、ソール部、クラウン部及びサイド部の構成材料を表１のように種々異ならせた比較例１〜２及び実施例１をそれぞれ作製した。表１において、「Ｔｉ」はチタン又はチタン合金、「ＦＲＰ」は繊維強化プラスチックを意味する。また、「２７ｔ未満」は繊維の弾性率が２７ton/mm2 未満の繊維強化プラスチック（繊維：カーボン）の使用を意味する。なお、金属とＦＲＰとを併記したものは、金属上または下にＦＲＰを積層した場合である。
【００１４】
これらゴルフクラブヘッドを装着したゴルフクラブをそれぞれ用意し、１０人のゴルファーによる試打を通して振動減衰性と打音を評価し、その結果を表１に併せて示した。これら評価結果は、比較例１を１００とする指数にて示した。振動減衰性については指数値が大きいほど振動減衰効果が大きいことを意味し、打音については指数値が大きいほど良好であること、つまり金属音とパーシモンによる打音との中間的な打音を発生することを意味する。
【００１５】
【表１】
0004097666.tif 000002
【００１６】
この表１から判るように、実施例１のゴルフクラブヘッドは、いずれも比較例１に比べて、振動減衰性及び打音が改善されていた。比較例２は繊維強化プラスチックの使用量が少ないため十分な効果が得られなかった。
【図面の簡単な説明】
【００１７】
【図１】本発明の実施形態からなるゴルフクラブヘッドを示し、（ａ）は平面図、（ｂ）は左側面図、（ｃ）はＢ−Ｂ矢視断面図である。
【符号の説明】
【００１８】
１  ネック部
２  フェース部
３  ソール部
４  クラウン部
５  サイド部
Ｘ，Ｙ  外殻部材
【図１】
0004097666.tif 000003